(57)【要約】【課題】  本発明は、作業中の作業者に装置の状態を通知することができ、シールが供給されない等の不具合が発生した場合にも、素早く適切な処置を施すことができるシール供給装置を提供することを課題とする。【解決手段】  表示部は、色および点滅表示等の表示形態によって装置の状態を表示する表示手段であり、カバー２５と、発光部２６とで構成される。カバー２５は、前面の両端部にそれぞれ設けられ、前面、上面および両側面からそれぞれ目視することが可能な形状になっている。発光部２６は、筐体２３の側壁とガイド板２７との間に配置され、発光部２６とカバー２５の距離は、発光部２６の指向角度の範囲内にカバー２５の全てが収まる距離に設定されている。【選択図】        図２
2005126131.tif 000002
【特許請求の範囲】
【請求項１】
シールが帯状台紙に所定の間隔で仮着されているシール連続体を搬送する搬送手段と、前記シール連続体の搬送に伴って、前記帯状台紙から前記シールを剥離する剥離手段とを有し、前記剥離手段によって前記帯状台紙から剥離された前記シールを、前面に設けられたシール供給口から１枚ずつ供給するシール供給装置であって、
前面、上面および両側面から目視することが可能な表示手段を具備し、
該表示手段によって装置の状態を表示させることを特徴とするシール供給装置。
【請求項２】
前記表示手段は、前面の両端にそれぞれ設けられた透明もしくは乳白色の２つのカバーと、
該２つのカバーに対してそれぞれ光を照射する２つの多色発光ＬＥＤとからなり、
前記表示手段は、色および点滅表示によって装置の状態を表示させることを特徴とする請求項１記載のシール供給装置。
【請求項３】
前記多色発光ＬＥＤの指向角度の範囲内に前記カバーの全体が収まっていることを特徴とする請求項２記載のシール供給装置。
【発明の詳細な説明】
【技術分野】
【０００１】
本発明は、被貼付物に貼付するシールを剥離可能な状態に保持して供給するシール供給装置に関し、特に装置の状態を表示する表示部を有するシール供給装置に関する。
【背景技術】
【０００２】
従来のシール供給装置としては、例えば、シールが間隔をおいて仮着された帯状台紙と、帯状台紙の搬送およびその停止を行う駆動機構と、帯状台紙の搬送に伴って、帯状台紙からシールを剥離する剥離機構と、剥離機構から突出した状態で供給されたシールの検出を行うシールセンサとを備えた構造のものが知られている。
【０００３】
駆動機構によって帯状台紙を搬送することでシールを剥離機構に搬送し、この剥離機構において帯状台紙が、シールから離間する方向に折り返されることにより、シールがその搬送方向前方側から順次剥離され、シールが搬送方向の後端部まで剥離された際に、帯状台紙の搬送を停止することにより、シールを帯状台紙から突出した状態で供給するようになっている。そして、作業者が供給されたシールを除去すると、シールが除去されたことが、シールセンサによって検出され、この検出信号に基づいて、再び駆動機構による帯状台紙の搬送が開始され、次のシールが供給される（例えば、特許文献１参照）。
【０００４】
しかしながら、従来技術では、装置の状態を作業者に通知する手段を有しておらず、シールが供給されない等の不具合が発生した場合に、作業者は、不具合の要因を探すことから始めなければならず、素早く適切な処置を施すことができないという問題点があった。
【０００５】
なお、シール供給装置以外では、単色発光のＬＥＤや液晶ディスプレイ等が装置の前面に設けられている場合もあるが、装置の配置によっては、作業中の作業者が装置の前面を目視することができないため、作業を中断して装置の前面に回り込まなければならないという問題点があった。
【特許文献１】特開２０００−３０１７８７号公報
【発明の開示】
【発明が解決しようとする課題】
【０００６】
本発明は斯かる問題点を鑑みてなされたものであり、その目的とするところは、作業中の作業者に装置の状態を通知することができ、シールが供給されない等の不具合が発生した場合にも、素早く適切な処置を施すことができるシール供給装置を提供する点にある。
【課題を解決するための手段】
【０００７】
本発明は上記課題を解決すべく、以下に掲げる構成とした。
請求項１記載の発明の要旨は、シールが帯状台紙に所定の間隔で仮着されているシール連続体を搬送する搬送手段と、前記シール連続体の搬送に伴って、前記帯状台紙から前記シールを剥離する剥離手段とを有し、前記剥離手段によって前記帯状台紙から剥離された前記シールを、前面に設けられたシール供給口から１枚ずつ供給するシール供給装置であって、前面、上面および両側面から目視することが可能な表示手段を具備し、該表示手段によって装置の状態を表示させることを特徴とするシール供給装置に存する。
また請求項２記載の発明の要旨は、前記表示手段は、前面の両端にそれぞれ設けられた透明もしくは乳白色の２つのカバーと、該２つのカバーに対してそれぞれ光を照射する２つの多色発光ＬＥＤとからなり、前記表示手段は、色および点滅表示によって装置の状態を表示させることを特徴とする請求項１記載のシール供給装置に存する。
また請求項３記載の発明の要旨は、前記多色発光ＬＥＤの指向角度の範囲内に前記カバーの全体が収まっていることを特徴とする請求項２記載のシール供給装置に存する。
【発明の効果】
【０００８】
本発明のシール供給装置は、前面、上面および両側面から目視することが可能な表示部を設けて装置の状態を表示するように構成することにより、作業者の周りに装置を配置する通常の使用形態においては、作業者が移動することなく表示部を目視できるため、作業中の作業者に装置の状態を通知することができ、シールが供給されない等の不具合が発生した場合にも、素早く適切な処置を施すことができるという効果を奏する。
【発明を実施するための最良の形態】
【０００９】
以下、本発明の実施の形態を図面に基づいて詳細に説明する。
【００１０】
図１は、本発明に係るシール供給装置の実施の形態の構成を示す概略構成図であり、図２は、本発明に係るシール供給装置の実施の形態の外観構成を示す概略斜視図であり、図３は、本発明に係るシール供給装置の実施の形態の外観構成を示す側面図、前面図および上面図である。
【００１１】
本実施の形態のシール供給装置１０は、図１を参照すると、シール１が帯状台紙２に所定の間隔で仮着されているロール状のシール連続体３が装着される供給リール１１と、シール連続体３を挟持して搬送およびその停止を行う一対の搬送ローラ１２と、帯状台紙２からシール１を剥離する剥離部１３と、剥離部１３によってシール１が剥離された後の帯状台紙２を巻き取る巻き取りリール１４と、剥離部１３から突出された状態のシール１の検出を行うシールセンサ１５と、搬送ローラ１２および巻き取りリール１４を回転駆動させる駆動モータ１６と、駆動モータ１６を制御する搬送制御部１７と、供給枚数をカウントする供給枚数カウンタ１８と、供給枚数カウンタ１８によってカウントする単位枚数を設定する単位枚数設定部１９と、供給枚数カウンタ１８のカウントをリセットするリセットスイッチ２０と、表示部２１と、表示部２１を制御する表示制御部２２とからなる。
【００１２】
シール供給装置１０におけるシール１の供給は、搬送制御部１７の制御によって駆動モータ１６を駆動して搬送ローラ１２および巻き取りリール１４を回転させることによって行われる。すなわち、搬送ローラ１２の回転によってシール連続体３を搬送させてシール１を剥離部１３に搬送すると共に、巻き取りリール１４の回転によって帯状台紙２を巻き取ることによって、剥離部１３において帯状台紙２をシール１から離間する方向に折り返し、シール１をその搬送方向前方側から１枚毎に剥離する。その後、シール１が搬送方向の後端部まで剥離された際に、搬送制御部１７の制御によって駆動モータ１６の駆動を停止させて搬送ローラ１２によるシール連続体３の搬送と、巻き取りリール１４による帯状台紙２の巻き取りとを停止させることにより、シール１を帯状台紙２から突出した状態に保持するようになっている。
【００１３】
帯状台紙２から突出した状態に保持されたシール１は、図２を参照すると、筐体２３の前面に設けられているシール供給口２４から供給され、作業者によってシール供給口２４から供給されたシール１が除去されると、シールセンサ１５から除去信号が搬送制御部１７に出力される。搬送制御部１７は、シールセンサ１５からの除去信号が入力されると、駆動モータ１６を駆動して次のシール１の供給を行う。
【００１４】
供給枚数カウンタ１８には、シールセンサ１５から除去信号が入力される構成になっており、シールセンサ１５からの除去信号の入力によって、供給枚数をカウントし、供給枚数のカウントが単位枚数設定部１９によって設定されている単位枚数に到達すると、単位枚数に達したことを知らせる単位枚数到達信号を表示制御部２２に出力すると共に、単位枚数到達後にシールセンサ１５からの除去信号が入力された場合と、リセットスイッチ２０の押下によって供給枚数のカウントをリセットした場合とには、新たに供給枚数のカウントを開始したことを知らせるカウント開始信号を表示制御部２２に出力する。なお、供給枚数カウンタ１８による供給枚数のカウントは、EEPROMやFlash Memory等の記憶手段に記憶されており、電源が切断されてもカウントが保持される。
【００１５】
単位枚数設定部１９は、図２を参照すると、筐体２３の前面部に設けられているダイヤルであり、作業者がダイヤルを回転させて供給枚数カウンタ１８によってカウントする単位枚数を選択することによって、選択された単位枚数が供給枚数カウンタ１８に設定される。なお、単位枚数設定部１９の構成としては、単位枚数を設定できる手段であれば、ダイヤルに限るものではなく、例えば、ディップスイッチ等で単位枚数を設定するようにしても良い。
【００１６】
リセットスイッチ２０は、図２を参照すると、筐体２３の前面部に設けられているプッシュスイッチであり、作業者がリセットスイッチ２０を押下することにより、供給枚数カウンタ１８による供給枚数のカウントがリセットされる。
【００１７】
表示部２１は、色および点滅表示等の表示形態によって装置の状態を表示する表示手段であり、図２を参照すると、カバー２５と、発光部２６とで構成される。
【００１８】
カバー２５は、例えば、ポリカーボネート等の透明もしくは乳白色の樹脂で構成され、図２に示すように、前面の両端部にそれぞれ設けられている。また、カバー２５は、図３に示すように、前面、上面および両側面からそれぞれ目視することが可能な形状になっており、作業者の周りに装置を配置する通常の使用形態においては、作業者が移動することなく表示部２１を目視できる構成になっている。
【００１９】
発光部２６は、カバー２５に向けて光を照射する、例えば、ＲＧＢの発光素子を有する多色発光ＬＥＤであり、図２および図３を参照すると、供給リール１１、搬送ローラ１２、巻き取りリール１４等が取り付けられているガイド板２７に取り付けられており、筐体２３の側壁とガイド板２７との間に配置されている。また、発光部２６とカバー２５の距離は、図３（ａ）に示すように、発光部２６の指向角度αの範囲内にカバー２５の全てが収まる距離に設定されている。
【００２０】
表示制御部２２には、図示しない各種センサが接続されていると共に、各種制御信号が入力される構成になっており、各種センサからの入力および各種制御信号の入力によって装置状態を検出し、装置状態に応じて予め定められている表示形態（色および点滅表示）で表示部２１を表示させる。表示制御部２２に接続されているセンサとしては、図示しないバッテリの残量を検出するセンサ、装置のカバーが開いていることを検出するセンサ等が考えられ、表示制御部２２は、バッテリ残量に応じた表示形態で表示部２１を表示させたり、カバーオープン時に対応する表示形態で表示部２１を表示させたりする。また、シールセンサ１５のセンサ不良等を検出して、シールセンサ１５のセンサ不良に対応する表示形態で表示部２１を表示するようにしても良い。さらに、バッテリ残量が残り少なくなった場合、すなわち所定の残量以下になった場合には、表示部２１の表示を停止するように構成しても良い。
【００２１】
また、表示制御部２２には、シール１を正常に供給している状態に対応する表示形態（以下、供給時表示形態と称す）が複数定められており、供給枚数カウンタ１８からカウント開始信号が入力される毎に、表示部２１の供給時表示形態を切り換えると共に、供給枚数カウンタ１８による供給枚数のカウントが単位枚数設定部１９によって設定されている単位枚数に到達した状態に対応する表示形態（以下、到達時表示形態と称す）が定められており、供給枚数カウンタ１８から単位枚数到達信号が入力されると、表示部２１を到達時表示形態で表示させる。例えば、供給時表示形態として、青、緑、黄等の異なる色が定められており、到達時表示形態として、点滅表示が定められている場合には、表示制御部２２は、供給枚数カウンタ１８から単位枚数到達信号が入力されると、表示部２１を点滅表示させ、供給枚数カウンタ１８からカウント開始信号が入力されると、表示部２１を異なる色に切り換えて表示させる。
【００２２】
次に、本実施の形態の動作について図４を参照して詳細に説明する。
図４は、本発明に係るシール供給装置の実施の形態の動作を説明するためのフローチャートである。
【００２３】
作業者によってリセットスイッチ２０が押下されると（ステップＡ１）、供給枚数カウンタ１８は、供給枚数のカウントｎをｎ＝０にセットすると共に（ステップＡ２）、カウント開始信号を表示制御部２２に出力し、カウント開始信号が入力された表示制御部２２は、表示部２１を複数の供給時表示形態のいずれかで表示させる（ステップＡ３）。例えば、供給時表示形態として青、緑、黄の３色が定められている場合には、ステップＡ３で表示制御部２２は、表示部２１を青、緑、黄の３色のいずれかの色で表示させる。また、複数の供給時表示形態の表示順序を設定しておいても良い。
【００２４】
供給枚数カウンタ１８は、シールセンサ１５からの除去信号の入力を監視することによって新たなシール１の供給を検出し（ステップＡ４）、作業者によって帯状台紙２から突出した状態に保持されているシール１が除去され、シールセンサ１５から除去信号が入力されると、新たなシール１が供給されたことを検出し、供給枚数のカウントｎにインクリメントし（ステップＡ５）、供給枚数のカウントｎが単位枚数設定部１９によって設定されている単位枚数に到達したか否かを判別し（ステップＡ６）、供給枚数のカウントｎが単位枚数に到達していない場合には、ステップＡ４に戻る。
【００２５】
供給枚数のカウントｎが単位枚数に到達した場合には、供給枚数カウンタ１８は、表示制御部２２に単位枚数到達信号を出力し、表示制御部２２は、表示部２１を到達時表示形態で表示させる（ステップＡ７）。例えば、到達時表示形態として点滅表示が定められている場合には、ステップＡ７で表示制御部２２は、表示部２１を現在表示されている色で点滅表示させる。
【００２６】
次に、供給枚数カウンタ１８は、シールセンサ１５からの除去信号の入力を監視することによって新たなシール１の供給を検出し（ステップＡ８）、作業者によって帯状台紙２から突出した状態に保持されているシール１が除去され、シールセンサ１５から除去信号が入力されると、新たなシール１が供給されたことを検出し、供給枚数のカウントｎにインクリメントすると共に（ステップＡ９）、カウント開始信号を表示制御部２２に出力し、カウント開始信号が入力された表示制御部２２は、表示部２１を現在表示されている供給時表示形態とは異なる複数の供給時表示形態のいずれかに切り換えて表示させ（ステップＡ１０）、ステップＡ４に戻る。例えば、供給時表示形態として青、緑、黄の３色が定められている場合には、ステップＡ１０で表示制御部２２は、表示部２１を現在表示されている色とは異なる青、緑、黄の３色のいずれかの色で表示させる。
【００２７】
なお、本実施の形態では、供給枚数のカウントが単位枚数到達後にシールセンサ１５からの除去信号が入力された場合に、供給時表示形態を切り換えるように構成したが、単位枚数設定部１９によって設定される単位枚数に応じて、供給時表示形態を切り換えるように構成しても良い。
【００２８】
また、本実施の形態では、供給枚数のカウントが単位枚数に到達する毎に、同一の到達時表示形態で表示するように構成したが、複数の到達時表示形態を定めると共に、供給枚数カウンタ１８にトータルの供給枚数を記憶しておくことにより、単位枚数に到達した回数に応じて到達表示形態を切り換える（例えば、点滅回数や点滅速度を切り換える）ように構成しても良い。
【００２９】
以上説明したように、本実施の形態によれば、前面、上面および両側面から目視することが可能な表示部を設けて装置の状態を表示するように構成することにより、作業者の周りに装置を配置する通常の使用形態においては、作業者が移動することなく表示部を目視できるため、作業中の作業者に装置の状態を通知することができ、シールが供給されない等の不具合が発生した場合にも、素早く適切な処置を施すことができるという効果を奏する。
【００３０】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００３１】
【図１】本発明に係るシール供給装置の実施の形態の構成を示す概略構成図である。
【図２】本発明に係るシール供給装置の実施の形態の外観構成を示す概略斜視図である。
【図３】本発明に係るシール供給装置の実施の形態の外観構成を示す側面図、前面図および上面図である。
【図４】本発明に係るシール供給装置の実施の形態の動作を説明するためのフローチャートである。
【符号の説明】
【００３２】
１  シール
２  帯状台紙
３  シール連続体
１０  シール供給装置
１１  供給リール
１２  搬送ローラ
１３  剥離部
１４  巻き取りリール
１５  シールセンサ
１６  駆動モータ
１７  搬送制御部
１８  供給枚数カウンタ
１９  単位枚数設定部
２０  リセットスイッチ
２１  表示部
２２  表示制御部
２３  筐体
２４  シール供給口
２５  カバー
２６  発光部
２７  ガイド板
【図１】
2005126131.tif 000003
【図２】
2005126131.tif 000004
【図３】
2005126131.tif 000005
【図４】
2005126131.tif 000006